【手続補正書】
【提出日】平成17年1月19日(2005.1.19)
【手続補正１】
【補正対象書類名】明細書
【補正対象項目名】発明の名称
【補正方法】変更
【補正の内容】
【発明の名称】カード処理装置
【手続補正２】
【補正対象書類名】明細書
【補正対象項目名】特許請求の範囲
【補正方法】変更
【補正の内容】
【特許請求の範囲】
【請求項１】
カード挿入口から取り込んだカード、あるいはカードを収納したカー
ドカセットから繰り出したカードをカード搬送路に沿ってデータ処理部に搬送し、データ
処理後、カードを排出するカード処理装置において、
前記カード搬送路は、
交差する第１の搬送路と第２の搬送路とを有し、
前記データ処理部を有する第１の搬送路と前記カード挿入口を有する第２の搬送路との
連結部に、前記カードを搭載して搬送方向を転換し、そのカードを前記第２の搬送路又は
第
１の搬送路に繰り出すカード搬送方向転換部を備えたことを特徴とするカード処理装置。
【請求項２】
前記カード搬送路は、さらに、
カード取り込み部を前記カード搬送方向転換部に隣接して備え、前記データ処理が適正
に行われないカードを前記カード搬送方向転換部から前記カード取り込み部に取り込む請
求項１記載のカード処理装置。
【請求項３】
前記カード搬送路は、さらに、
前記カードカセットを有する第３の搬送路を前記第２の搬送路と重ねる方向に配置する
とともに前記第１の搬送路に対してシフト自在に設け、
シフトにより前記第１の搬送路と連結する前記第２の搬送路の連結部に前記カード搬送
方向転換部を備え、
シフトにより前記第１の搬送路と連結する前記第３の搬送路の連結部に前記カードカセ
ットを備えた請求項１記載のカード処理装置。
【請求項４】
前記第２の搬送路は、
前記カード搬送方向転換部を挟んで前記カード挿入口と対向する位置に設けた回動支軸
を中心に回動自在なフレームに前記第３の搬送路とともに、所定の角度を有して設けられ
る請求項３記載のカード処理装置。
【請求項５】
前記カード搬送方向転換部は、
下部にカード取り込み部を配置し、前記データ処理部によりデータ処理が適正に行われ
ないカードを前記第１の搬送路から前記カード取り込み部に取り込む請求項４記載のカー
ド処理装置。
【請求項６】
前記カード搬送方向転換部は、
カードを繰り出す第２のカードカセットを隣接して備えた請求項５記載のカード処理装
置。
【手続補正３】
【補正対象書類名】明細書
【補正対象項目名】０００７
【補正方法】変更
【補正の内容】
【０００７】
【課題を解決するための手段】
上記目的を達成するために本発明のカード処理装置においては、前記カード搬送路は、
交差する第１の搬送路と第２の搬送路とを有し、データ処理部を有する第１の搬送路と前
記カード挿入口を有する第２の搬送路との連結部に、カードを搭載して搬送方向を転換し
、そのカードを前記第２の搬送路又は第１の搬送路に繰り出すカード搬送方向転換部を備
える。
【手続補正４】
【補正対象書類名】明細書
【補正対象項目名】００１１
【補正方法】変更
【補正の内容】
【００１１】
筐体２の内部には、図１，２に示すように、第１の搬送路５と第２の搬送路６と第３の
搬送路７とからなるカード搬送路８が設けてある。各搬送路はアッパーガイド９とロワー
ガイド１０とで構成され、フィードローラ１１，１２を有する。
【手続補正５】
【補正対象書類名】明細書
【補正対象項目名】００１６
【補正方法】変更
【補正の内容】
【００１６】
カード回転部１５は第２の搬送路６の一部を構成し、図３，４に示すように、円板状の
アッパーガイド１８及びロワーガイド１９の円板間にカードガイド２０，２１を設け、一
体化してある。ロワーガイド１９の中央部には回転シャフト２２が固着してあり、第２の
搬送路６とともに回動支軸１６を中心に回動する上述した図示せぬフレームに固着してあ
る駆動源２３により回転する。
【手続補正６】
【補正対象書類名】明細書
【補正対象項目名】００１７
【補正方法】変更
【補正の内容】
【００１７】
アッパーガイド１８にはフィードローラ２４，２５がカードガイド２０，２１に沿って
配置してあり、フィードローラ２４，２５と一体に回転する軸２４ａ，２５ａがＵ状のブ
ラケット２６，２７に回転自在に設けてある。ロワーガイド１９にはプレッシャローラ２
８，２９がフィードローラ２４，２５に圧接して配置してあり、プレッシャローラ２８，
２９と一体に回転する軸２８ａ，２９ａがＵ状のブラケット３０，３１に回転自在に設け
てある。
【手続補正７】
【補正対象書類名】明細書
【補正対象項目名】００２１
【補正方法】変更
【補正の内容】
【００２１】
カードカセット１７は第１のカード搬送路５のアッパーカイド９に設けてあり、ロワー
ガイド１０に設けたフィードローラ３６により新規のカード１３ｂを第３の搬送路７に繰
り出す。
【手続補正８】
【補正対象書類名】明細書
【補正対象項目名】００２２
【補正方法】変更
【補正の内容】
【００２２】
図７は図１に示したカード処理装置の制御ブロック図である。制御部４０は中央処理装
置４０ａ（以後ＣＰＵ４０ａと記載する）とメモリ４０ｂとＩ／Ｏポート４０ｃとを有す
る。ＣＰＵ４０ａはＩ／Ｏポート４０ｃを介してタッチパネル４、第１のモータ４１、第
２のモータ４２、第３のモータ４３、第４のモータ４４、第５のモータ４５、第６のモー
タ４６、第１のカードセンサ４７、第２のカードセンサ４８、第３のカードセンサ４９、
データ読取ヘッド１４ａ、データ書込みヘッド１４ｂに接続されている。
【手続補正９】
【補正対象書類名】明細書
【補正対象項目名】００２５
【補正方法】変更
【補正の内容】
【００２５】
第１のカードセンサ４７はカード挿入口３に設けられてカード１３ａの挿入を検出し、
第
２のカードセンサ４８はカード回転部１５に設けられてカード１３ａがカード回転部１５
に達したかを検出し、第３のカードセンサ４９はカード取り込み箱３４に設けられてデー
タ処理が適正に行われないカードがカード取り込み箱３４に取り込まれたかを検出する。
データ読取ヘッド１４ａ、データ書込みヘッド１４ｂは第１の搬送路５のデータ処理部１
４に設けてある。
【手続補正１０】
【補正対象書類名】明細書
【補正対象項目名】００２８
【補正方法】変更
【補正の内容】
【００２８】
ステップＳ２でＣＰＵ４０ａは第１のモータ４１に通電して、図１０（Ａ）に示すよう
に、第２の搬送路６をカード挿入口３に位置つけ、図５に示すように、カード回転部１５
を第１の搬送路５と連結させる。
【手続補正１１】
【補正対象書類名】明細書
【補正対象項目名】００３３
【補正方法】変更
【補正の内容】
【００３３】
ステップＳ７でＣＰＵ４０ａは第２のモータ４２及び第６のモータ４６を駆動してカー
ド１３ａを矢印Ｆ方向に搬送する。
【手続補正１２】
【補正対象書類名】明細書
【補正対象項目名】００４３
【補正方法】変更
【補正の内容】
【００４３】
ステップＳ１７でＣＰＵ４０ａはカード１３ａが取り込み箱３４に取り込まれたか否か
を第３のカードセンサ４９を介してチェックし、カード１３ａがカード取り込み箱３４に
取り込まれた場合には第２のモータ４２及び第６のモータ４６を停止させてステップＳ１
３に分岐する。
【手続補正１３】
【補正対象書類名】明細書
【補正対象項目名】００４４
【補正方法】変更
【補正の内容】
【００４４】
尚、本実施の形態ではカード回転部１５を備えた第２の搬送路６とカードカセット１７
を備えた第３の搬送路７と回動自在に設けたが、第３の搬送路７を削除し、第２の搬送路
６を固定し、カード回転部１５に隣接してカードカセット１７、カード取り込み箱３４を
設け、カード回転部１５を回転させてカードカセット１７から新規のカードを取り込み、
データ処理部１４を有する第１の搬送路５に搬送し、データ処理部１４にて適正に処理で
きたカードを第１の搬送路５からカード回転部１５に取り込み、カード回転部１５を回転
させ第２の搬送路６を介してカード挿入口３に排出する。
【手続補正１４】
【補正対象書類名】明細書
【補正対象項目名】００４５
【補正方法】変更
【補正の内容】
【００４５】
あるいは第２の搬送路６を介してカード挿入口３から取り込んだカードをカード回転部
１５に取り込み、カード回転部１５を回転させて第１の搬送路５に搬送し、データ処理部
１４にて適正に処理できたカードを第１の搬送路５からカード回転部１５に取り込み、カ
ード回転部１５を回転させ第２の搬送路６を介してカード挿入口３に排出する。
【手続補正１５】
【補正対象書類名】明細書
【補正対象項目名】００４６
【補正方法】変更
【補正の内容】
【００４６】
あるいはデータ処理部１４にて適正に処理できなかったカードを第１の搬送路５からカ
ード回転部１５に取り込み、カード回転部１５を回転させてカード取り込み箱３４に排出
するようにしてもよい。この場合、第２の搬送路６を回動させる必要がなくなり、機構が
簡単になる。